(57)【要約】【課題】一斉放送装置のみならず各住戸機でも一斉放送を行うことを可能とする。【解決手段】住戸機２は、何れかの分岐線Ｌ２1，Ｌ２2に択一的に切換接続し、接続した分岐線Ｌ２1又はＬ２2の通話線Ｌａと映像線Ｌｂをそれぞれ通話路と映像路に分離する幹線インタフェース部１４を備える。従って、何れかの住戸機２Ａで幹線インタフェース部１４が一方の幹線Ｌ１1に切換接続し、他の住戸機２Ｂ，…で幹線インタフェース部１４が他方の幹線Ｌ１2に切換接続すれば、住戸機２Ａから送出される一斉放送用音声信号が２つの系統の幹線Ｌ１1，Ｌ１2の通話線Ｌａを介して他の住戸機２Ｂ，…に伝送される。その結果、住戸機２Ａから他の住戸機２Ｂ，…に対して一斉放送を行うことができる。【選択図】        図１
2006304220.tif 000002
【特許請求の範囲】
【請求項１】
集合住宅の共用玄関に設置され音声の入出力が可能な共用部装置と、集合住宅の各住戸にそれぞれ設置され共用部装置とは複数系統の伝送線路を介して接続されるとともに共用部装置が有する選択手段を来訪者が操作することにより選択されると共用部装置との間で通信路を確立する複数台の住戸機と、集合住宅の共用部若しくは管理人室に設置され各住戸機とは前記複数系統の伝送線路を介して接続されるとともに一部又は全部の住戸機に対して一斉に音声を放送する一斉放送装置とを備え、
各系統の伝送線路は、少なくとも選択手段の操作に伴って発生し個別通話の開始を指示する制御信号を伝送する制御線と、音声信号を伝送する信号線とからなり、
住戸機は、共用部装置との間で信号線を介した通話を行う通話手段と、何れかの系統の伝送線路に択一的に切り換えて接続する伝送線路切換手段と、少なくとも一斉放送の音声を鳴動するスピーカと、信号線を通話手段に接続する状態とスピーカに接続する状態とを択一的に切り換える個別通話／一斉放送切換手段と、制御線を介して伝送される制御信号に基づいて伝送線路切換手段並びに個別通話／一斉放送切換手段を制御する制御手段とを備え、制御手段は、制御線を介して一斉放送開始を指示する制御信号を受信したときに個別通話／一斉放送切換手段を制御して信号線及び伝送線をスピーカに接続する状態に切り換えるものであって、
何れかの住戸機の制御手段が他の１乃至複数の住戸機に対し制御線を介して一斉放送の開始を指示する制御信号を送信したとき、当該他の住戸機の制御手段は、一斉放送開始の制御信号を送信した住戸機が伝送線路切換手段で択一的に切換接続した伝送線路を除く他の伝送線路に伝送線路切換手段を切換接続してなり、一斉放送開始の制御信号を送信した住戸機から送出される一斉放送音声が複数系統の幹線並びに一斉放送装置を介して他の住戸機に伝送されることを特徴とする集合住宅用インターホンシステム。
【請求項２】
各住戸機は、共用部装置との通話中に一斉放送開始の制御信号を受信したことを通話者に報知する報知手段と、報知手段による報知があった場合に共用部装置との通話継続と一斉放送の受信とを通話者が択一的に選択するための操作手段とを備え、住戸機の制御手段は、操作手段によって一斉放送の受信が選択されたときは共用部装置との通話に使用している伝送線路を除く他の伝送線路に伝送線路切換手段を切換接続することを特徴とする請求項１記載の集合住宅用インターホンシステム。
【請求項３】
共用部装置は、来訪者を撮像する撮像手段を備え、伝送線路は、撮像手段で撮像された映像を伝送する映像線を含み、各住戸機は、映像線を介して伝送される映像を表示する表示手段を備え、住戸機の制御手段は、操作手段によって一斉放送の受信が選択されたときに映像線を介して共用部装置から伝送される映像を表示手段に表示させることを特徴とする請求項２記載の集合住宅用インターホンシステム。
【請求項４】
各住戸機は、一斉放送の受信中に共用部装置から個別通話開始の制御信号を受信したことを通話者に報知する報知手段と、報知手段による報知があった場合に一斉放送の受信継続と個別通話の開始とを通話者が択一的に選択するための操作手段とを備え、住戸機の制御手段は、操作手段によって共用部装置との個別通話が選択されたときは一斉放送の受信に使用している伝送線路を除く他の伝送線路に伝送線路切換手段を切換接続することを特徴とする請求項１〜３の何れかに記載の集合住宅用インターホンシステム。
【請求項５】
共用部装置は、来訪者を撮像する撮像手段を備え、伝送線路は、撮像手段で撮像された映像を伝送する映像線を含み、各住戸機は、映像線を介して伝送される映像を表示する表示手段を備え、住戸機の制御手段は、共用部装置の選択手段で選択されたときに映像線を介して共用部装置から伝送される映像を表示手段に表示させるとともに、操作手段によって一斉放送の受信継続が選択されたときにも映像線を介して共用部装置から伝送される映像を引き続いて表示手段に表示させることを特徴とする請求項４記載の集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関し、特に共用部装置と１台の住戸機とが一対一で通話する個別通話の他に、集合住宅の共用部や管理人室などに設置された一斉放送装置により複数の住戸機へ音声を一斉に放送することができる集合住宅用インターホンシステムに関するものである。
【背景技術】
【０００２】
従来、集合住宅の共用玄関に設置され音声の入出力が可能な共用部装置（ロビーインターホン）と、集合住宅の各住戸にそれぞれ設置され共用部装置とは伝送線路を介して接続されるとともに共用部装置が有する選択手段（テンキーなど）を来訪者が操作することにより選択されると共用部装置との間で通信路を確立する複数台の住戸機（インターホン親機や住宅情報盤など）と、集合住宅の各住戸にそれぞれ設置され住戸機とは通話用の子器接続線を介して接続されるドアホン子器と、集合住宅の共用部若しくは管理人室に設置され各住戸機とは伝送線路を介して接続されるとともに一部又は全部の住戸機に対して一斉に音声を放送する一斉放送装置とを備えた集合住宅用インターホンシステムが提供されている（例えば、特許文献１参照）。
【特許文献１】特開平６−１４１２５号公報
【発明の開示】
【発明が解決しようとする課題】
【０００３】
ところが、各住戸に設置される住戸機から一斉放送を行いたいという要望があるにもかかわらず、上記従来例では管理人室に設置された一斉放送装置によらなければ一斉放送を行うことができなかった。
【０００４】
本発明は上記事情に鑑みて為されたものであり、その目的は、一斉放送装置のみならず各住戸機でも一斉放送を行うことができる集合住宅用インターホンシステムを提供することにある。
【課題を解決するための手段】
【０００５】
請求項１の発明は、上記目的を達成するために、集合住宅の共用玄関に設置され音声の入出力が可能な共用部装置と、集合住宅の各住戸にそれぞれ設置され共用部装置とは複数系統の伝送線路を介して接続されるとともに共用部装置が有する選択手段を来訪者が操作することにより選択されると共用部装置との間で通信路を確立する複数台の住戸機と、集合住宅の共用部若しくは管理人室に設置され各住戸機とは前記複数系統の伝送線路を介して接続されるとともに一部又は全部の住戸機に対して一斉に音声を放送する一斉放送装置とを備え、各系統の伝送線路は、少なくとも選択手段の操作に伴って発生し個別通話の開始を指示する制御信号を伝送する制御線と、音声信号を伝送する信号線とからなり、住戸機は、共用部装置との間で信号線を介した通話を行う通話手段と、何れかの系統の伝送線路に択一的に切り換えて接続する伝送線路切換手段と、少なくとも一斉放送の音声を鳴動するスピーカと、信号線を通話手段に接続する状態とスピーカに接続する状態とを択一的に切り換える個別通話／一斉放送切換手段と、制御線を介して伝送される制御信号に基づいて伝送線路切換手段並びに個別通話／一斉放送切換手段を制御する制御手段とを備え、制御手段は、制御線を介して一斉放送開始を指示する制御信号を受信したときに個別通話／一斉放送切換手段を制御して信号線及び伝送線をスピーカに接続する状態に切り換えるものであって、何れかの住戸機の制御手段が他の１乃至複数の住戸機に対し制御線を介して一斉放送の開始を指示する制御信号を送信したとき、当該他の住戸機の制御手段は、一斉放送開始の制御信号を送信した住戸機が伝送線路切換手段で択一的に切換接続した伝送線路を除く他の伝送線路に伝送線路切換手段を切換接続してなり、一斉放送開始の制御信号を送信した住戸機から送出される一斉放送音声が複数系統の幹線並びに一斉放送装置を介して他の住戸機に伝送されることを特徴とする。
【０００６】
請求項２の発明は、請求項１の発明において、各住戸機は、共用部装置との通話中に一斉放送開始の制御信号を受信したことを通話者に報知する報知手段と、報知手段による報知があった場合に共用部装置との通話継続と一斉放送の受信とを通話者が択一的に選択するための操作手段とを備え、住戸機の制御手段は、操作手段によって一斉放送の受信が選択されたときは共用部装置との通話に使用している伝送線路を除く他の伝送線路に伝送線路切換手段を切換接続することを特徴とする。
【０００７】
請求項３の発明は、請求項２の発明において、共用部装置は、来訪者を撮像する撮像手段を備え、伝送線路は、撮像手段で撮像された映像を伝送する映像線を含み、各住戸機は、映像線を介して伝送される映像を表示する表示手段を備え、住戸機の制御手段は、操作手段によって一斉放送の受信が選択されたときに映像線を介して共用部装置から伝送される映像を表示手段に表示させることを特徴とする。
【０００８】
請求項４の発明は、請求項１〜３の何れかの発明において、各住戸機は、一斉放送の受信中に共用部装置から個別通話開始の制御信号を受信したことを通話者に報知する報知手段と、報知手段による報知があった場合に一斉放送の受信継続と個別通話の開始とを通話者が択一的に選択するための操作手段とを備え、住戸機の制御手段は、操作手段によって共用部装置との個別通話が選択されたときは一斉放送の受信に使用している伝送線路を除く他の伝送線路に伝送線路切換手段を切換接続することを特徴とする。
【０００９】
請求項５の発明は、請求項４の発明において、共用部装置は、来訪者を撮像する撮像手段を備え、伝送線路は、撮像手段で撮像された映像を伝送する映像線を含み、各住戸機は、映像線を介して伝送される映像を表示する表示手段を備え、住戸機の制御手段は、共用部装置の選択手段で選択されたときに映像線を介して共用部装置から伝送される映像を表示手段に表示させるとともに、操作手段によって一斉放送の受信継続が選択されたときにも映像線を介して共用部装置から伝送される映像を引き続いて表示手段に表示させることを特徴とする。
【発明の効果】
【００１０】
請求項１の発明によれば、何れかの住戸機の制御手段が他の１乃至複数の住戸機に対し制御線を介して一斉放送の開始を指示する制御信号を送信したとき、当該他の住戸機の制御手段が、一斉放送開始の制御信号を送信した住戸機が伝送線路切換手段で択一的に切換接続した伝送線路を除く他の伝送線路に伝送線路切換手段を切換接続し、一斉放送開始の制御信号を送信した住戸機から送出される一斉放送音声が複数系統の幹線並びに一斉放送装置を介して他の住戸機に伝送されるため、一の住戸機から他の一乃至複数の住戸機に対して一斉放送を行うことができる。
【００１１】
請求項２の発明によれば、共用部装置との個別通話中に一斉放送が開始された場合、住戸機において共用部装置との通話を継続するか、あるいは共用部装置との通話を中止して一斉放送を受信するかを通話者（居住者）が選択して切り換えることができる。
【００１２】
請求項３の発明によれば、一斉放送の受信が選択されたときに共用部装置の撮像手段で撮像された映像が住戸機の表示手段で表示されるために居住者が来訪者を確認することができる。
【００１３】
請求項４の発明によれば、一斉放送の受信中に共用部装置から選択された場合、住戸機において一斉放送の受信を継続するか、あるいは一斉放送の受信を中止して共用部装置との個別通話を開始するかを居住者が選択して切り換えることができる。
【００１４】
請求項５の発明によれば、一斉放送の受信継続が選択されたときにも共用部装置の撮像手段で撮像された映像が住戸機の表示手段で引き続いて表示されるために居住者が来訪者の様子を引き続き確認することができる。
【発明を実施するための最良の形態】
【００１５】
以下、図面を参照して本発明の実施形態を詳細に説明する。
【００１６】
本実施形態の集合住宅用インターホンシステムの構成例を図１に示す。本実施形態では、集合住宅の共用玄関に設置される共用部装置（ロビーインターホン）１と、各住戸にそれぞれ設置される複数台の住戸機２とを備え、ロビーインターホン１と住戸機２とが伝送線路を介して接続されている。伝送線路は、幹線制御装置３において複数系統（図示例では２系統）に分配される幹線Ｌ１1，Ｌ１2と、各住戸機２にそれぞれ接続される分岐線Ｌ２1，Ｌ２2とを含む。この伝送線路としては、３対以上のペア線をシース内に備える多対ツイストペアケーブルを用いており、図示例ではロビーインターホン１と住戸機２との間で音声信号を伝送する通話線Ｌａと、ロビーインターホン１が具備するテレビカメラ６７で撮像された映像信号を伝送する映像線Ｌｂと、ロビーインターホン１が有する選択手段（後述する）により選択された住戸機２を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン１において周波数変調され、後述するように各住戸機２に設けた映像処理部１２で周波数復調されてモニタ部１３に表示される。但し、周波数が異なる音声信号と映像信号を多重化して同一のペア線で伝送することで伝送線路を２対のペア線で構成することも可能である。
【００１７】
ロビーインターホン１は、ＣＰＵを主構成要素とする制御部６０と、制御部６０と制御線Ｌｃとのインタフェースとなる制御信号送受信部６１と、音声を入出力するマイクロホン６２及びスピーカ６３と、マイクロホン６２及びスピーカ６３とそれぞれ増幅器６４ａ，６４ｂを介して接続される通話処理部６５と、増幅器６４ｃ，６４ｄを介して通話処理部６５と接続され受話側並びに送話側の各伝送経路と２線の通話線Ｌａとを２線４線変換する２線４線変換部６６と、来訪者を撮像するテレビカメラ６７と、テレビカメラ６７で撮像した映像を周波数変調した映像信号を映像線Ｌｂを介して幹線制御装置３に出力する映像処理部６８と、番号キーや呼出釦などを含む操作スイッチ類を有し各操作スイッチ類の操作入力を制御部６０に出力する操作部６９とを備えており、来訪者が番号キーを操作して訪問先の住戸番号を選択した後に呼出釦を操作すると住戸番号に対応する住戸機２を選択したことになる。ここで、ロビーインターホン１には通話線Ｌａ及び制御線Ｌｃを介して一斉放送装置（警報監視盤）５が接続されており、ロビーインターホン１で選択された住戸番号が制御線Ｌｃを介して警報監視盤５に伝送されると、警報監視盤５が当該住戸番号に対応する住戸機２に対して制御線Ｌｃを介して制御信号（呼出コマンド）を送出する。
【００１８】
一方、住戸機２は、音声を入出力するマイクロホン２１及びスピーカ２２を備え、マイクロホン２１とスピーカ２２とはそれぞれ増幅器２３ａ，２３ｂを介して通話処理部２４に接続されている。また、通話処理部２４には受話側並びに送話側の各伝送経路と２線の通話線Ｌａとを２線４線変換する２線４線変換部２５が増幅器２６ａ，２６ｂを介して接続されている。通話処理部２４は、通話線Ｌａを介して伝送されてくる音声信号（受話信号）とマイクロホン２１から出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン２１とスピーカ２２の音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン１と住戸機２との間で通話線Ｌａを通して音声信号を授受することができ、来訪者がロビーインターホン１を用いるとともに居住者が住戸機２を用いることによって、来訪者と居住者との間で音声通話が可能となる。
【００１９】
また住戸機２には、何れかの分岐線Ｌ２1，Ｌ２2に択一的に切換接続し、接続した分岐線Ｌ２1又はＬ２2の通話線Ｌａと映像線Ｌｂをそれぞれ通話信号（受話信号及び送話信号）の伝送経路（以下、「通話路」と呼ぶ。）と映像信号の伝送経路（以下、「映像路」と呼ぶ。）に分離する幹線インタフェース部１４が設けられている。映像路は映像処理部１２に接続され、通話路は通話／一斉放送切換部１５に接続されている。通話／一斉放送切換部１５は、幹線インタフェース部１４に接続された通話路を、通話路切換部１６に接続する状態と、後述する音量補正部３０に接続する状態とを択一的に切り換えるものである。また通話路切換部１６は、２線４線変換部２５に接続された通話路を、通話／一斉放送切換部１５に接続する状態と、後述する子器インタフェース部１８に接続する状態と、同一住戸内に設置された他の住戸機（図示せず）に接続する状態とを択一的に切り換えるものである。
【００２０】
通話路切換部１６に接続された子器インタフェース部１８には子器接続線Ｌ３を介してドアホン子器６が接続される。ドアホン子器６は集合住宅の各住戸の玄関先に配置されるものであってマイクロホン及びスピーカを備える。したがって、通話路切換部１６が２線４線変換部２５に接続された通話路を子器インタフェース部１８に接続する状態に切り換えているときにドアホン子器６と住戸機２との間での通話が可能になっている。また、ドアホン子器６にはテレビカメラが設けられ、子器インタフェース部１８では子器接続線Ｌ３を介して伝送される音声信号と映像信号を分離し、分離した映像信号を映像路を介して映像処理部１２に出力してモニタ部１３に表示することができるようになっている。さらにドアホン子器６には呼出釦が設けられ、呼出釦が操作されたときに子器接続線Ｌ３に呼出信号が送出する機能を有し、住戸機２では呼出信号を検出したときに報知音生成部２７で生成された呼出音がスピーカ２２から送出されるようになっている。
【００２１】
住戸機２において、モニタ部１３には液晶表示器あるいはＣＲＴが用いられる。映像線Ｌｂを通して住戸機２に入力される映像信号は、幹線インタフェース部１４で平衡−不平衡変換され、さらに増幅器で増幅された後に映像処理部１２において周波数復調される。また、子器接続線Ｌ３を通して住戸機２に入力される映像信号も、子器インタフェース部１８で平衡−不平衡変換され、さらに増幅器で増幅された後に映像処理部１２において周波数復調される。そして、映像処理部１２から出力された映像信号は、モニタ部１３に入力されることによってモニタ部１３の画面に映像を表示する。つまり、ロビーインターホン１やドアホン子器６のテレビカメラ６７において撮像された来訪者の映像が住戸機２のモニタ部１３に表示されるから、住戸内の居住者が来訪者を確認することができるのである。
【００２２】
また報知音生成部２７は、ロビーインターホン１やドアホン子器６からの呼出等を報知するための報知音を生成し、生成した報知音を増幅器２８ａを介してスピーカ５に出力するとともに当該報知音をバックトーンとして分岐線Ｌ２1，Ｌ２2又は子器接続線Ｌ３にも出力する。すなわち、報知音生成部２７には増幅器２８ｂを介してバックトーン送出路切換部１７が接続されており、このバックトーン送出路切換部１７がバックトーンの送出先を分岐線Ｌ２1，Ｌ２2と子器接続線Ｌ３とに択一的に切り換えるようになっている。
【００２３】
住戸機２には、ＣＰＵを主構成要素とし内部回路を制御する主制御部１０が設けられ、主制御部１０には制御線Ｌｃとのインタフェースとなる制御信号送受信部１１と、応答釦（図示せず）や一斉放送釦（図示せず）などの操作スイッチ群を有する操作部１９とが接続される。制御信号送受信部１１は、主制御部１０から出力された制御信号を制御線Ｌｃに送出し、制御線Ｌｃから受信した制御信号を主制御部１０に引き渡す機能を有する。
【００２４】
ところで、分岐線Ｌ２1，Ｌ２2は分岐器７を介して幹線Ｌ１1，Ｌ１2から分岐され、幹線制御装置３においては各系統の幹線Ｌ１1，Ｌ１2を直結している。したがって、ロビーインターホン１から送出された制御信号は制御線Ｌｃに接続されるすべての住戸機２に伝送される。ここに、住戸機２の主制御部１０には個別にアドレス（たとえば、住戸番号）が設定されており、ロビーインターホン１においてアドレスを選択することにより、アドレスを指定する制御信号（呼出コマンド）が警報監視盤５から制御線Ｌｃを介して全ての住戸機２に伝送することが可能になっている。住戸機２の主制御部１０は、制御信号に含まれるアドレスが自己のアドレスであれば映像処理部１２やモニタ部１３を起動してロビーインターホン１のカメラにおいて撮像された来訪者の映像を住戸機２のモニタ部１３に表示させるとともに、報知音生成部２７に生成させた報知音（呼出音）をスピーカ２２から送出させる。そして、呼出音に応じて居住者が住戸機２の操作部１９が有する応答釦を押操作すれば、主制御部１０が幹線インタフェース部１４を制御して何れかの幹線Ｌ１1又はＬ１2に切換接続させ、通話／一斉放送切換部１５を制御して幹線インタフェース部１４に接続された通話路を通話路切換部１６に接続する状態に切り換えさせるとともに通話路切換部１６を制御して２線４線変換部２５に接続された通話路を通話／一斉放送切換部１５に接続する状態に切り換えさせてロビーインターホン１との間に何れかの幹線Ｌ１1又はＬ１2を介した通信路を確立することにより、ロビーインターホン１と選択された住戸機２との間でのみ通話可能にすることができるとともに、選択された住戸機２でのみテレビカメラで撮像された来訪者をモニタ部１３に表示することが可能になる。尚、ロビーインターホン１において選択された住戸機２がロビーインターホン１との間で通信路を確立している状態は、ロビーインターホン１または住戸機２において適宜の操作釦を用いた通話終了が検出されると終了する。
【００２５】
また、ドアホン子器６の呼出釦が押操作されて子器接続線Ｌ３に呼出信号が送出されると、呼出信号を検出した住戸機２の主制御部１０が映像処理部１２やモニタ部１３を起動してドアホン子器６のカメラにおいて撮像された来訪者の映像を住戸機２のモニタ部１３に表示させるとともに、報知音生成部２７に生成させた報知音（呼出音）をスピーカ２２から送出させる。そして、呼出音に応じて居住者が住戸機２の操作部１９が有する応答釦を押操作すれば、主制御部１０が通話路切換部１６を制御して２線４線変換部２５に接続された通話路を子器インタフェース部１８に接続する状態に切り換えさせてドアホン子器６との間に通信路を確立することにより、ドアホン子器６と住戸機２との間で通話可能にすることができるとともテレビカメラで撮像された来訪者をモニタ部１３に表示することが可能になる。
【００２６】
警報監視盤５は、ＣＰＵを主構成要素とする制御部５０と、制御部５０と制御線Ｌｃとのインタフェースとなる制御信号送受信部５１と、通話用のハンドセット（送受話器）５２と、送話信号及び受話信号を増幅する増幅器５３ａ，５３ｂと、受話側並びに送話側の各伝送経路と２線の通話線Ｌａとを２線４線変換する２線４線変換部５４と、ハンドセット５２の送話経路を２線４線変換部５４を介して通話線Ｌａに接続する状態と２線４線変換部５４を介さずに増幅器５６を介して通話線Ｌａに接続する状態と通話線Ｌａに接続しない状態とに択一的に切り換える通話／一斉放送切換部５５と、幹線制御装置３に接続された２系統の通話線Ｌａの何れか一方を２線４線変換部５４並びに増幅器５６に択一的に切換接続する通話線切換部５７と、幹線制御装置３に接続された２系統の通話線Ｌａの何れか一方を増幅器５６の入力側に択一的に切換接続する一斉放送通話線切換部５８と、ロビーインターホン１に接続された通話線Ｌａを２系統の通話線Ｌａの何れか一方に接続する状態と何れの通話線Ｌａにも接続しない状態とに択一的に切り換えるロビー通話／一斉放送切換部５９とを備えている。尚、図示は省略するが、警報監視盤５には住戸番号を指定するための番号キーと呼出釦を有する選択手段とが設けられ、管理人が番号キーを操作して何れかの住戸番号を選択した後に呼出釦を操作することで住戸番号に対応する住戸機２を選択すれば、選択した住戸機２との間に通信路が形成されてハンドセット５２により当該住戸機２との間でのみ通話を行うことができる。また警報監視盤５の制御部５０は、２系統の幹線Ｌ１1，Ｌ１2の使用状況を常に監視し、これから使用する幹線Ｌ１1又はＬ１2を指定するための番号（以下、「幹線指定番号」と呼ぶ。）をロビーインターホン１から送信される制御信号（呼出コマンド）に含めて制御信号送受信部５１から住戸機２へ送信させている。したがって、ロビーインターホン１に選択された住戸機２では、主制御部１０が幹線インタフェース部１４を制御して制御信号に含まれる幹線指定番号で指定された幹線Ｌ１1又はＬ１2に切換接続することができる。
【００２７】
また、警報監視盤５から全ての住戸機２に対して一斉放送を行う場合、警報監視盤５から一斉放送の開始を指示する制御信号（一斉放送開始コマンド）が制御線Ｌｃを介して各住戸機２に送信される。さらに警報監視盤５では、制御部５０が通話／一斉放送切換部５５を制御してハンドセット５２の送話経路を２線４線変換部５４を介さずに増幅器５６を介して通話線Ｌａに接続する状態に切り換えるとともに、通話線切換部５７を制御して何れか一方の幹線（例えば、幹線Ｌ１1）の通話線Ｌａに切換接続する。制御信号（一斉放送開始コマンド）を受信した各住戸機２では、一斉放送開始コマンドに応じて主制御部１０が幹線インタフェース部１４を制御して一斉放送開始コマンドに含まれる幹線指定番号で指定された幹線Ｌ１1に切換接続するとともに、通話／一斉放送切換部１５を制御して幹線インタフェース部１４に接続された通話路を音量補正部３０に接続する状態に切り換えて警報監視盤５との間に通信路を確立し、警報監視盤５から送出される一斉放送の音声信号（以下、「一斉放送用音声信号」と呼ぶ。）が通話線Ｌａを介して各住戸機２に伝送される。そして、各住戸機２においては音量補正部３０で一斉放送用音声信号の音量が自動的に補正され、音量補正された一斉放送用音声信号がスピーカ２２から送出される。
【００２８】
図２は音量補正部３０の具体構成を示すブロック図である。本実施形態における音量補正部３０は、一斉放送用音声信号を遅延させる遅延部３１と、遅延部３１で遅延された一斉放送用音声信号を増幅する可変増幅器３２と、遅延部３１に入力する一斉放送用音声信号の音声パワー（音圧レベル）を推定する音声パワー推定部３３と、音声パワー推定部３３で推定される一斉放送用音声信号の音声パワーに応じて可変増幅部３２の増幅度Ｇを調整する増幅度調整部３４とを有する。尚、本実施形態における音量補正部３０は、通話処理部２４並びに報知音生成部２７とともにＤＳＰ（ディジタル・シグナル・プロセッサ）のハードウェアをソフトウェアで制御することによって実現されているが、これに限定されるものではなく、ＤＳＰの代わりにＣＰＵを用いたり、あるいはアナログ回路やディジタル回路で構成することも可能である。
【００２９】
音声パワー推定部３３は、立ち上がりが緩やかであり、且つ立ち下がりが急峻な特性をもつ積分回路又はデジタルフィルタによって構成され、図３（ｃ）に示すように初期（ｔ＝０〜ｔ１）の一斉放送用音声信号の信号レベルの長時間平均値を音声パワー推定値Ｐｎとする。増幅度調整部３４は、音声パワー推定部３３が出力する音声パワー推定値Ｐｎと音声パワーの基準値との差分から音声パワー推定値Ｐｎを音声パワー基準値に一致させるために必要な増幅度Ｇを決定し、可変増幅器３２の増幅度を決定した増幅度Ｇに調整する。具体的には、図３（ａ）に示すように一斉放送用音声信号の音声パワーと増幅度Ｇとは比例関係（比例係数が負）にあるから、予め与えられた関係式に基づいて音声パワー推定値Ｐｎから増幅度Ｇが決定できる。したがって、警報監視盤５から個々の住戸機２までの配線長や一斉放送の対象となる住戸機２の台数等に起因した伝送ロスの違いにかかわらず、図３（ｂ）に示すように一斉放送用音声信号の音量を音量補正部３０で補正して所定範囲Ｘ内に収めることができる。
【００３０】
而して、集合住宅の規模によっては一斉放送装置から各住戸機までの伝送線路の配線長が数百メートルから数キロメートルにも及ぶ場合があり、また住戸機の接続台数及び、幹線機器（共用部装置や一斉放送装置）の台数も集合住宅の規模によって異なるため、配線、住戸機、幹線機器のインピーダンスに起因した伝送線路の伝送ロスも悪化して住戸機における一斉放送の音量が低下してしまい、住戸機間に音量のばらつきが生じる虞があるが、本実施形態によれば、一斉放送の音量が所定範囲の値となるように補正する音量補正部３０を各住戸機２が備えているため、一斉放送の対象となる住戸機２の台数や各住戸機２までの配線長に応じて一斉放送装置（警報監視盤５）で一斉放送用音声信号の増幅度を調整することなく、複数の住戸機２間における一斉放送の音量のばらつきを抑えることができる。
【００３１】
ところで本実施形態においては、警報監視盤５だけでなく住戸機２からも一斉放送が行えるようになっている。例えば、住戸機２Ａから他の複数台の住戸機２Ｂ，…に対して一斉放送を行う場合について説明する。住戸機２Ａの操作部１９が有する一斉放送釦が押操作されると、主制御部１０は一斉放送の対象とする住戸機２Ｂ，…の住戸番号を含む制御信号（一斉放送開始要求コマンド）を制御信号送受信部１１から制御線Ｌｃを介して警報監視盤５に送信する。また主制御部１０は、幹線インタフェース部１４を制御して何れか一方の幹線（例えば、幹線Ｌ１1）に切換接続させるとともに、通話／一斉放送切換部１５を制御して幹線インタフェース部１４に接続された通話路を通話路切換部１６に接続する状態に切り換えさせ、さらに通話路切換部１６を制御して２線４線変換部２５に接続された通話路を通話／一斉放送切換部１５に接続する状態に切り換えさせる。
【００３２】
一方、制御信号（一斉放送開始要求コマンド）を受信した警報監視盤５では、制御部５０が通話線切換部５７並びに一斉放送通話線切換部５８を制御して一方の幹線Ｌ１1の通話線Ｌａを一斉放送通話線切換部５８、増幅器５６、通話線切換部５７を介して他方の幹線Ｌ１2の通話線Ｌａに接続する。
【００３３】
また、制御信号（一斉放送開始要求コマンド）を受信した他の住戸機２Ｂ，…では、主制御部１０が幹線インタフェース部１４を制御して他方の幹線Ｌ１2に切換接続させるとともに、通話／一斉放送切換部１５を制御して幹線インタフェース部１４に接続された通話路を音量補正部３０に接続する状態に切り換えさせる。その結果、住戸機２Ａと他の住戸機２Ｂ，…との間に幹線制御装置３及び警報監視盤５を介して通信路が確立され、住戸機２Ａから送出される一斉放送用音声信号が２つの系統の幹線Ｌ１1，Ｌ１2の通話線Ｌａを介して他の住戸機２Ｂ，…に伝送される。そして、他の住戸機２Ｂ，…においては音量補正部３０で一斉放送用音声信号の音量が自動的に補正され、音量補正された一斉放送用音声信号がスピーカ２２から送出され、住戸機２Ａから他の住戸機２Ｂ，…に対して一斉放送が行われる。
【００３４】
一斉放送を終了するには住戸機２Ａで操作部１９の一斉放送釦を再度押操作すればよい。一斉放送釦が押操作されると、一斉放送の終了を指示する制御信号（一斉放送終了コマンド）が制御線Ｌｃを介して他の住戸機２Ｂ，…に対して伝送される。制御信号を受信した他の住戸機２Ｂ，…では、主制御部１０が一斉放送終了コマンドに応じて音量補正部３０の動作を停止させるとともに、通話／一斉放送切換部１５を制御して幹線インタフェース部１４に接続された通話路を通話路切換手段１６に接続する状態に切り換えさせて待機状態に戻る。
【００３５】
ここで、何れか一方の系統の幹線Ｌ１1又はＬ１2に同時に複数台の住戸機２Ａ，２Ｂ，…が接続すれば、当該幹線Ｌ１1又はＬ１2を介して住戸機２Ａから他の住戸機２Ｂ，…へ一斉放送を行うことも可能である。しかしながら、このように住戸機２間で行う一斉放送に警報監視盤５が関与しないとすると、集合住宅の各住戸同士が勝手に一斉放送を行うことで幹線Ｌ１1，Ｌ１2が占有される確率が高くなり、例えば、ロビーインターホン１との個別通話や警報監視盤５による緊急放送等に支障をきたす虞がある。そのために本実施形態においては、上述のように住戸機２間の一斉放送は必ず警報監視盤５を経由して行うようにしており、警報監視盤５による緊急放送等を行う際には通話線切換部５７及び一斉放送通話線切換部５８を制御して幹線Ｌ１1，Ｌ１2を切り離し、住戸機２間の一斉放送を強制的に中止することができるようにしている。
【００３６】
次に、住戸機２とロビーインターホン１との個別通話中に警報監視盤５が一斉放送を開始した場合の動作を説明する。
【００３７】
例えば、一方の幹線Ｌ１1を介してロビーインターホン１と住戸機２とが個別通話しているときに警報監視盤５から制御信号（一斉放送開始コマンド）を受信した場合、住戸機２の制御部１０は映像処理部１２を制御して一斉放送が開始される旨の文字（例えば、「放送」の文字）をモニタ部１３に表示させるとともに報知音生成部２７を制御して一斉放送が開始されることを報知する報知音を作成させてスピーカ２２から送出させる。そして、操作部１９の応答釦が押操作されれば、制御部１０はロビーインターホン１との個別通話を終了して警報監視盤５からの一斉放送を受信する態勢に入る。具体的には、制御部１０は幹線インタフェース部１４を制御して他方の幹線Ｌ１2に切換接続するとともに、通話／一斉放送切換部１５を制御して幹線インタフェース部１４に接続された通話路を音量補正部３０に接続する状態に切り換える。また警報監視盤５の制御部５０は、制御信号（一斉放送開始コマンド）を送信した後、通話／一斉放送切換部５５を制御してハンドセット５２の送話経路を２線４線変換部５４を介さずに増幅器５６を介して通話線Ｌａに接続する状態に切り換えるとともに、通話線切換部５７を制御して住戸機２とロビーインターホン１の個別通話に使用されていない他方の系統の幹線Ｌ１2の通話線Ｌａに切換接続する。その結果、ロビーインターホン１と個別通話中であった住戸機２と警報監視盤５との間にも通信路が確立され、警報監視盤５から送出される一斉放送用音声信号が一方の系統の幹線Ｌ１2の通話線Ｌａを介して各住戸機２に伝送され、音量補正部３０で音量補正された後にスピーカ２２から送出される。なお、応答釦が押操作されなければ、住戸機２の制御部１０はロビーインターホン１との個別通話を継続し、また、応答釦が押操作されたときに既に警報監視盤５による一斉放送が終了、すなわち、警報監視盤５から制御信号（一斉放送終了コマンド）を受信していれば、待機状態に戻る。
【００３８】
ここで、幹線インタフェース部１４では各系統の幹線Ｌ１1，Ｌ１2について通話線Ｌａと映像線Ｌｂを個別に切換接続することが可能であって、ロビーインターホン１との個別通話中に警報監視盤５による一斉放送を受信する態勢に入った場合、住戸機２の制御部１０は通話線Ｌａのみを他方の幹線Ｌ１2に切換接続し、映像線Ｌｂについてはロビーインターホン１との個別通話に使用していた幹線Ｌ１1に接続したままとする。その結果、住戸機２では警報監視盤５による一斉放送の音声がスピーカ２２から送出されるとともにロビーインターホン１のテレビカメラ６７で撮像された映像が引き続きモニタ部１３で表示されることになる。
【００３９】
次に、警報監視盤５による一斉放送の受信中に住戸機２がロビーインターホン１から呼び出された場合の動作を説明する。
【００４０】
例えば、一方の幹線Ｌ１1を介して警報監視盤５による一斉放送を受信しているときにロビーインターホン１で選択された住戸番号が制御線Ｌｃを介して警報監視盤５に伝送されると、警報監視盤５が当該住戸番号に対応する住戸機２に対して制御線Ｌｃを介して制御信号（呼出コマンド）を送出する。住戸機２の主制御部１０は、制御信号（呼出コマンド）に含まれるアドレスが自己のアドレスであれば映像処理部１２やモニタ部１３を起動してロビーインターホン１のテレビカメラ６７において撮像された来訪者の映像を住戸機２のモニタ部１３に表示させるとともに、報知音生成部２７に生成させた報知音（呼出音）をスピーカ２２から送出させる。一斉放送を聞いていた居住者は、スピーカ２２から送出される呼出音でロビーインターホン１から呼び出されたことを知るとともに、モニタ部１３に表示される映像から来訪者を確認することができる。そして、操作部１９の応答釦が居住者によって押操作されれば、住戸機２の制御部１０は警報監視盤５による一斉放送の受信を終了してロビーインターホン１との個別通話を行う態勢に入る。具体的には、制御部１０は幹線インタフェース部１４を制御して他方の幹線Ｌ１2に切換接続するとともに、通話／一斉放送切換部１５を制御して幹線インタフェース部１４に接続された通話路を通話路切換部１６に接続する状態に切り換え、さらに通話路切換部１６を制御して２線４線変換部２５に接続された通話路を通話／一斉放送切換部１５に接続する状態に切り換える。その結果、ロビーインターホン１に選択された住戸機２とロビーインターホン１との間に幹線Ｌ１2を介した通信路が確立され、ロビーインターホン１と選択された住戸機２との間でのみ通話可能にするとともに、選択された住戸機２でのみロビーインターホン１のテレビカメラ６７で撮像された来訪者をモニタ部１３に表示することが可能になる。
【００４１】
一方、操作部１９の応答釦が居住者によって押操作されなければ、住戸機２の制御部１０は警報監視盤５による一斉放送の受信を継続するが、一斉放送の受信中も映像処理部１２を制御してロビーインターホン１のテレビカメラ６７で撮像された映像を引き続き一定時間だけモニタ部１３に表示させるので、居住者は警報監視盤５による一斉放送を聞きながらモニタ部１３に表示された映像で来訪者の様子を引き続いて確認することができる。
【図面の簡単な説明】
【００４２】
【図１】本発明の実施形態を示すシステム構成図である。
【図２】同上における音量補正部のブロック図である。
【図３】（ａ）〜（ｃ）は同上における音量補正部の動作説明図である。
【符号の説明】
【００４３】
１  ロビーインターホン
２  住戸機
３  幹線制御装置
５  警報監視盤
１０  制御部
１４  幹線インタフェース部
Ｌ１1，Ｌ１2  幹線
Ｌ２1，Ｌ２2  分岐線
Ｌａ  通話線
【図１】
2006304220.tif 000003
【図２】
2006304220.tif 000004
【図３】
2006304220.tif 000005